(57)【特許請求の範囲】
【請求項１】
内部に電子回路が収納され一方を開口した箱状に形成された筐体と，
当該筐体の一端が開閉自在に装設された蓋体と，を備えた電子機器において，
前記筐体の開口部分には，表示板が設けられ，
前記蓋体には，当該蓋体の開閉状態を含む当該電子機器の動作状態をモニターするためのステイタスモニターユニットを収容したシールドケースが組み付けられており，
前記シールドケースには，
前記蓋体の開閉状態を検出する蓋開閉検出機構として，
前記シールドケースの側面に，当該シールドケース内に向けて突設された切起部と，
前記切起部と，前記蓋体を閉じたときに前記表示板と対向する当該シールドケースの前面と，この前面とは反対側の後面とに，それぞれ，相対向するように同一軸線上に形成された挿通孔と，
前記シールドケース内で前記前面と前記切起部との間に設けられる前記ステイタスモニターユニットのプリント配線板に，前記各挿通孔と同一軸線上となるよう形成された挿通孔と，
前記プリント配線板において前記シールドケースの後面と対向する面に設けられた開閉状態検出用のスイッチと，
前記各挿通孔に遊貫され，前記シールドケースの切起部と後面との間に位置する中間部分に，前記蓋体が開状態にあるとき前記スイッチに当接されて前記スイッチをオンするための腕金部が形成された，平板状の伝達部と，
前記腕金部と前記シールドケースの後面との間に設けられ，前記蓋体が開状態にあるとき，前記伝達部を前記シールドケースの前面側に移動させて，前記腕金部を前記スイッチに当接させるスプリングと，
からなり，前記蓋体が閉状態にあるときには，前記シールドケースの前面の挿通孔から突出された前記伝達部の先端部が，前記筐体の開口部分に設けられた表示板に当接されて，前記伝達部がシールドケース内に移動し，前記腕金部が前記スイッチから離れて，前記スイッチをオフするように構成された蓋開閉検出機構が設けられたことを特徴とする電子機器。
【請求項２】
内部に電子回路が収納され一方を開口した箱状に形成された筐体と，
当該筐体の一端が開閉自在に装設された蓋体と，を備えた電子機器において，
前記筐体の開口部分には，表示板が設けられ，
前記蓋体には，当該蓋体の開閉状態を含む当該電子機器の動作状態をモニターするためのステイタスモニターユニットを収容したシールドケースが組み付けられており，
前記シールドケースには，
前記蓋体の開閉状態を検出する蓋開閉検出機構として，
前記蓋体を閉じたときに前記表示板と対向する前記シールドケースの前面に形成された挿通孔と，
前記シールドケースの前記前面とは反対側の後面から前記前面方向に，前記挿通孔と相対向するように突設された切起部と，
前記シールドケース内に設けられる前記ステイタスモニターユニットのプリント配線板に，前記挿通孔及び前記切起部と相対向し同一軸線上となるよう形成された挿通孔と，
前記プリント配線板において前記シールドケースの後面と対向する面に設けられた開閉状態検出用のスイッチと，
前記シールドケース及び前記プリント配線板に形成された各挿通孔に遊貫されると共に，前記シールドケースの後面側先端部が略コ字形に折り返され，その折り返し部において前記シールドケースの後面との対向面には，前記切起部を遊嵌させるための挿通孔が形成され，しかも，前記蓋体が開状態にあるとき，折り返し部の先端が前記スイッチに当接されて前記スイッチをオンするように構成された伝達部と，
前記伝達部の折り返し部と前記シールドケースの後面との間に設けられ，前記蓋体が開状態にあるとき，前記伝達部を前記シールドケースの前面側に移動させて，前記折り返し部の先端を前記スイッチに当接させるスプリングと，
からなり，前記蓋体が閉状態にあるときには，前記シールドケースの前面の挿通孔から突出された前記伝達部の先端部が，前記筐体の開口部分に設けられた表示板に当接されて，前記伝達部がシールドケース内に移動し，前記伝達部の折り返し部の先端が前記スイッチから離れて，前記スイッチをオフするように構成された蓋開閉検出機構が設けられたことを特徴とする電子機器。
【発明の詳細な説明】
【技術分野】
【０００１】
本発明は，主にテレビ共同受信システムに利用される電子機器に関し，詳しくはその電子機器の蓋体の開閉検出を行う機構に関する。
【背景技術】
【０００２】
従来では，蓋と筐体を備えた装置に置いて，装置本体の筐体にスイッチを露出させるための孔を設けてこの孔に筐体内に配設した押圧スイッチを孔から筐体表面に突出しない高さで持って臨ませて，上記蓋にはこの蓋が閉じた時に上記孔を通じて押圧スイッチを押圧することにより蓋の開閉検出を行う突起を突設した蓋開閉検知機構となっていた。
（例えば，特許文献１参照）
【０００３】
【特許文献１】特開２００１−１６０８５３号公報
【発明の開示】
【発明が解決しようとする課題】
【０００４】
しかし，従来の蓋開閉検知機構によると，スイッチに当接させる細長の柱状のボスを蓋部に設けなければならないので，例えば筐体が大きくなり当該筐体に収容される電子回路の配置によっては，前記ボスを長く作る必要が生じ，これによって成形が困難となり生産性が劣るといった問題点を有していた。さらに，通常時に蓋を閉じた状態でいることが多い電子機器の場合，蓋を開けた状態でスイッチが押されず，蓋を閉じた状態でスイッチが押されるため，スイッチ中のバネなどがへたり，スイッチの信頼性が低下するといった問題も有していた。そこで本願においては，こうした問題点を解決するためになされたものであり，
その目的は，安価で構成が簡単で信頼性の高い蓋開閉検出機構を備えた電子機器を提供することにある。
他の目的は，大きな筐体にも対応可能な蓋開閉検出機構を備えた電子機器を提供することにある。
他の目的は，スイッチの信頼性を向上させることができる電子機器を提供することにある。
【課題を解決するための手段】
【０００５】
上記目的を達成するためになされた請求項１に記載の発明は，
内部に電子回路が収納され一方を開口した箱状に形成された筐体と，
当該筐体の一端が開閉自在に装設された蓋体と，を備えた電子機器において，
前記筐体の開口部分には，表示板が設けられ，
前記蓋体には，当該蓋体の開閉状態を含む当該電子機器の動作状態をモニターするためのステイタスモニターユニットを収容したシールドケースが組み付けられており，
前記シールドケースには，
前記蓋体の開閉状態を検出する蓋開閉検出機構として，
前記シールドケースの側面に，当該シールドケース内に向けて突設された切起部と，
前記切起部と，前記蓋体を閉じたときに前記表示板と対向する当該シールドケースの前面と，この前面とは反対側の後面とに，それぞれ，相対向するように同一軸線上に形成された挿通孔と，
前記シールドケース内で前記前面と前記切起部との間に設けられる前記ステイタスモニターユニットのプリント配線板に，前記各挿通孔と同一軸線上となるよう形成された挿通孔と，
前記プリント配線板において前記シールドケースの後面と対向する面に設けられた開閉状態検出用のスイッチと，
前記各挿通孔に遊貫され，前記シールドケースの切起部と後面との間に位置する中間部分に，前記蓋体が開状態にあるとき前記スイッチに当接されて前記スイッチをオンするための腕金部が形成された，平板状の伝達部と，
前記腕金部と前記シールドケースの後面との間に設けられ，前記蓋体が開状態にあるとき，前記伝達部を前記シールドケースの前面側に移動させて，前記腕金部を前記スイッチに当接させるスプリングと，
からなり，前記蓋体が閉状態にあるときには，前記シールドケースの前面の挿通孔から突出された前記伝達部の先端部が，前記筐体の開口部分に設けられた表示板に当接されて，前記伝達部がシールドケース内に移動し，前記腕金部が前記スイッチから離れて，前記スイッチをオフするように構成された蓋開閉検出機構が設けられたことを特徴とする。
【０００６】
また，請求項２に記載の発明は，
内部に電子回路が収納され一方を開口した箱状に形成された筐体と，
当該筐体の一端が開閉自在に装設された蓋体と，を備えた電子機器において，
前記筐体の開口部分には，表示板が設けられ，前記蓋体には，当該蓋体の開閉状態を含む当該電子機器の動作状態をモニターするためのステイタスモニターユニットを収容したシールドケースが組み付けられており，
前記シールドケースには，
前記蓋体の開閉状態を検出する蓋開閉検出機構として，
前記蓋体を閉じたときに前記表示板と対向する前記シールドケースの前面に形成された挿通孔と，
前記シールドケースの前記前面とは反対側の後面から前記前面方向に，前記挿通孔と相対向するように突設された切起部と，
前記シールドケース内に設けられる前記ステイタスモニターユニットのプリント配線板に，前記挿通孔及び前記切起部と相対向し同一軸線上となるよう形成された挿通孔と，
前記プリント配線板において前記シールドケースの後面と対向する面に設けられた開閉状態検出用のスイッチと，
前記シールドケース及び前記プリント配線板に形成された各挿通孔に遊貫されると共に，前記シールドケースの後面側先端部が略コ字形に折り返され，その折り返し部において前記シールドケースの後面との対向面には，前記切起部を遊嵌させるための挿通孔が形成され，しかも，前記蓋体が開状態にあるとき，折り返し部の先端が前記スイッチに当接されて前記スイッチをオンするように構成された伝達部と，
前記伝達部の折り返し部と前記シールドケースの後面との間に設けられ，前記蓋体が開状態にあるとき，前記伝達部を前記シールドケースの前面側に移動させて，前記折り返し部の先端を前記スイッチに当接させるスプリングと，
からなり，前記蓋体が閉状態にあるときには，前記シールドケースの前面の挿通孔から突出された前記伝達部の先端部が，前記筐体の開口部分に設けられた表示板に当接されて，前記伝達部がシールドケース内に移動し，前記伝達部の折り返し部の先端が前記スイッチから離れて，前記スイッチをオフするように構成された蓋開閉検出機構が設けられたことを特徴とする。
【発明の効果】
【０００７】
請求項１に記載の電子機器においては，内部に電子回路が収納された筐体の開口部分に，表示板が設けられ，その筐体の開口を開閉する蓋体に，蓋体の開閉状態を含む当該電子機器の動作状態をモニターするためのステイタスモニターユニットを収容したシールドケースが組み付けられている。
また，シールドケースには，蓋体の開閉状態を検出する蓋開閉検出機構が設けられている。
この蓋開閉検出機構は，シールドケースの側面から突設された切起部と，蓋体を閉じたときに表示板と対向するシールドケースの前面と，この前面とは反対側の後面とに，それぞれ，相対向するように同一軸線上に形成された挿通孔，及び，シールドケース内で前面と切起部との間に設けられるステイタスモニターユニットのプリント配線板に形成された挿通孔，を備えており，これら各挿通孔には，平板状の伝達部が遊嵌されている。
また，シールドケース内には，ステイタスモニターユニットのプリント配線板が設けられており，プリント配線板において，シールドケースの後面と対向する面には，開閉状態検出用のスイッチが設けられている。
そして，上記各挿通孔に遊嵌された伝達部において，シールドケースの切起部と後面との間に位置する中間部分には，蓋体が開状態にあるとき，開閉状態検出用のスイッチに当接されて，このスイッチをオンする腕金部が形成されている。
また，この腕金部とシールドケースの後面との間には，蓋体が開状態にあるとき，伝達部をシールドケースの前面側に移動させて，腕金部を前記スイッチに当接させるスプリングが設けられている。
そして，蓋体が閉状態にあるときには，シールドケースの前面の挿通孔から突出された伝達部の先端部が，筐体の開口部分に設けられた表示板に当接されて，伝達部がシールドケース内に移動し，腕金部がスイッチから離れて，スイッチがオフ状態になる。
従って，本発明の電子機器によれば，開閉状態検出用のスイッチをオン・オフさせる伝達部を，プレス成形で簡単に成形できる。
また，本発明の電子機器によれば，蓋体が開状態であるときに，スプリングの付勢力でスイッチをオンさせるので，蓋体を閉じた状態で使用される電子機器であれば，スイッチが，常にストレスが付加された状態になるのを防止し，スイッチの信頼性を向上できる。
また，本発明の電子機器によれば，シールドケースの前面の挿通孔から伝達部の先端部が突出されており，蓋体が閉状態にあるときに，伝達部の先端部に表示板が当接されて，伝達部がシールドケース内に移動し，スイッチをオフさせることから，シールドケースの前面から突出される伝達部の先端部と筐体側にある当付部との位置関係を精度良くする必要が無い。
また，スイッチとして，タクトスイッチのような僅かな力によってＯＮ／ＯＦＦ操作可能なスイッチを用い，腕金部や切起部の位置を調整すれば，蓋体の僅かな緩みに対しても検出可能な機構を提供できる。
【０００８】
請求項２に記載の電子機器は，基本的には請求項１に記載のものと同様に構成されており，請求項１に記載のものと異なる点は，切起部が，シールドケースの側面ではなく，シールドケースの後面に突設されている点と，伝達部の構成である。
すなわち，請求項２に記載の電子機器において，伝達部は，シールドケースの前面及びプリント配線板に形成された各挿通孔に遊貫されており，シールドケースの後面側先端部は略コ字形に折り返されている。また，この折り返し部において，シールドケースの後面との対向面には，シールドケースの後面に突設された切起部を遊嵌させるための挿通孔が形成されている。
そして，スプリングは，伝達部の折り返し部とシールドケースの後面との間に設けられており，蓋体が開状態にあるとき，伝達部をシールドケースの前面側に移動させて，折り返し部の先端をスイッチに当接させることにより，スイッチをオンさせる。
また，蓋体が閉状態にあるときには，シールドケースの前面の挿通孔から突出された伝達部の先端部が，筐体の開口部分に設けられた表示板に当接されて，伝達部がシールドケース内に移動し，伝達部の折り返し部の先端がスイッチから離れて，スイッチをオフさせる。
従って，請求項２に記載の電子機器によれば，請求項１に記載の電子機器と同様の効果を得ることができる。
【発明を実施するための最良の形態】
【０００９】
以下に，本発明を具体化した実施形態の例を，図面を基に詳細に説明する。
図１は本願の蓋開閉検出機構を備えた電子機器の例としてＣＡＴＶシステムに用いる中継増幅器を示し,蓋が開いた状態を示す正面図である。図２は本願の電子機器に備えた蓋開閉検出機能の第１の実施例であり，蓋が開いた状態にある時の図１におけるＡ−Ａ´線断面を示す斜視図である。図３は蓋が閉じた状態にある時の図１におけるＡ−Ａ´線断面を示す斜視図である。図４は異なる実施例の蓋開閉検出機構を配設した正面図である。図５は図４における電子機器において，（ａ）は蓋が開いた状態にあるときの蓋開閉検出機構のＢ−Ｂ´線断面図を示し，（ｂ）は蓋が開いた状態にあるときの蓋開閉検出機構のＣ−Ｃ´線断面図を示す。（ｃ）は蓋が閉じた状態にあるときの蓋開閉検出機構のＢ−Ｂ´線断面図を示し，（ｄ）は蓋が閉じた状態にあるときの蓋開閉検出機構のＣ−Ｃ´線断面図を示す。図６は第２の蓋開閉検出機構の要部を示す拡大斜視図である。図７は蓋開閉検出機構の異なる実施例を示す。
尚，以下の説明において前面，上面等の方向を示す表記は特に説明のない限り説明図に示す図の方向に基づいている。
【実施例１】
【００１０】
図１は本発明の電子機器の代表例としてのＣＡＴＶシステムに用いる中継増幅器１を示し，２は筐体，３は蓋体である。
４はこの中継増幅器のＡＧＣ作動レベル，内部温度，筐体内への浸水，蓋体の開閉状態等の動作状態をモニターして，これによって得られた情報をヘッドエンド側に備えた監視用コンピューターに伝送するためのステイタスモニターユニットであり，ケース３０に収納されて蓋体３に周知の手段によって取り付けられている。
５，６は７に示す増幅器との間を接続するための信号線であり，５はＲＦ信号を伝送する同軸ケーブル，６は各種ステイタス電圧を伝送するための信号線である。
１１は蓋体３の開閉検出機構１０を構成する押圧部を示し，この実施例においては，蓋体３を閉じた時に前記増幅器７の表示板８が前記押圧部１１を押圧するように構成されている。
【００１１】
次に本願に示す蓋開閉検出機構の第１の実施例について図２，図３を用いて説明する。
３０はステイタスモニターユニット４のケースであり，ケース本体３１とケースカバー３５とで構成されている。２０は電子回路が組み付けられたプリント配線板である。
ケース本体３１の上面３２には挿通孔３２ａが，側面３３には切起部３４が突設されており，当該切起部３４にも挿通孔３４ａが形成されている。
また，ケースカバー３５には挿通孔３５ａが形成されている。更にプリント配線板２０には凹部２１が形成されており，前記挿通孔３２ａ，３４ａ，３５ａ及び凹部２１は夫々同一軸線になるように配設されている。
【００１２】
１２は伝達部であり，本願の実施例では平板形状の金属材料を金型成形したものであり，上側伝達部１３と腕金部１４と下側伝達部１５とから構成されている。
この伝達部１２は，上側伝達部１３が上記切起部３４に形成した挿通孔３４ａとプリント配線板に形成した凹部２１とケース本体３１の上面３２に形成した挿通孔３２ａに遊貫させてあり，上側伝達部１３の先端部には押圧部１１が取り付けられている。このように伝達部１２をケース本体３１に取り付けたなら，下側伝達部１５にスプリング１６を挿着させてからケースカバー３５を取り付ける。このときケースカバー３５に形成した挿通孔３５ａに下側伝達部１５の先端部を挿通させることで伝達部１２は上下動自在に取り付けられることになる。
伝達部１２の腕金部１４の先端部には押圧片１４ａが形成されており，当該押圧片１４ａと相対向する位置のプリント配線板にはスイッチ２２が配設させてある。
尚，本願の実施例のように下側伝達部１５の先端部には係止片１５ａが形成されており，スプリング１６を下側伝達部１５に挿通させたときに，前記係止片１５ａがスプリング１６の落下を防止するので，伝達部１２をケース３０に組み付けるときの生産性をより優れたものとするように構成しても良い。
【００１３】
このように構成された蓋開閉検出機構１０について更に詳しく説明すると，既に述べたように，ステイタスモニターユニット４は蓋体３に取り付けられており，当該蓋体３を筐体２に被せた時に蓋開閉検出機構１０の押圧部１１が前記筐体２に収容された増幅器７に備えられた当付部（例えば本願の実施例では表示板８）に当接するように構成されている。つまりは，蓋体３が開いた状態のときは，前記伝達部１２が，前記下側伝達部１５に挿通させ前記腕金部１４とケースカバー３５との間に介在させたスプリング１６の付勢力によって，上方向に押し上げられることになり，この結果，腕金部１４の先端部に形成した押圧片１４ａがスイッチ２２の操作ノブを押し込むこととなり，このスイッチ２２に接続された電子回路（図示されていない）によって蓋体３の開状態が検出されるのである。次に，蓋体３が閉じた状態にあるときは，伝達部１２は下方向に押し込まれることとなり，この結果，押圧片１４ａはスイッチから離れることなり，このスイッチ２２に接続された電子回路（図示されていない）によって蓋体３の閉状態が検出されるのである。
【００１４】
このように，本願の実施例によれば，スイッチを操作するセンサーの役目をする伝達部１２はプレス成形で簡単に成形できる。蓋体が開いた状態のときにスプリング１６の付勢力でスイッチ２２を操作するので，本願の中継増幅器のように通常蓋体を閉じた状態でいることが多い電子機器であれば，スイッチ２２が常にストレスが付加された状態に無いため，スイッチの信頼性が一層保たれるのである。また，蓋体３を閉じた状態のときにスイッチがＯＦＦになればよいので，蓋開閉検出機構１０の押圧部１１の位置と筐体側にある当付部（本願によれば増幅器の表示板）との位置関係を精度良くする必要が無く，蓋体を締めた状態においてスプリング１６によって寸法精度が吸収されるといった優位性を持つ。更にタクトスイッチのような僅かな力によってＯＮ／ＯＦＦ操作可能なスイッチを用い，腕金部１４や切起部３４の位置を調整すれば，蓋体の僅かな緩みに対しても検出可能な機構を提供できるのである。
尚，本願に示す伝達部１２は金属材料を成形した物を用いているが，これに限定されるもので無く合成樹脂材料を成形したものでも良い。
【実施例２】
【００１５】
次に本発明の第２の実施形態として図４，５，６を参照して説明する。尚，以下の説明では，上記第１の実施形態と同様の構成要素については同一符号を付与し，詳細な説明は省略する。
この実施例は，蓋開閉検出機構１０の配置場所の自由をより確保したものである。
【００１６】
３０はステイタスモニターユニット４のケースであり，ケース本体３１とケースカバー３５とで構成されている。２０は電子回路が組み付けられたプリント配線板である。
ケース本体３１の上面３２には挿通孔３２ａが，プリント配線板２０には挿通孔２０ａが形成されており，前記挿通孔３２ａ，２０ａは夫々同一軸線になるように配設されている。
【００１７】
１２は伝達部であり，本願の実施例では平板形状の金属材料を金型成形したものであり，伝達部１２の下側には断面略コ字状に折り返し部１７が形成してある。この伝達部１２の折り返し部１７には折り返し方向と同じ方向にスリット１７ａが形成されている。
この伝達部１２は，一方側が上記プリント配線板２０に形成した挿通孔２０ａとケース本体３１の上面３２に形成した挿通孔３２ａに遊貫させてあり，伝達部１２の一方側の先端部には押圧部１１が取り付けられている。
【００１８】
上述のように伝達部１２がケース本体３１に取り付けが終わったならば，ケースカバー３５を取り付けるのであるが，ケースカバー３５には，当該ケースカバー３５よりプレス加工等で形成した切起部３６が形成してある。本願の切起部３６は第１の切起片３７と第２の切起片３８とからなり，ケースカバー３５から相互に１８０°相対向する方向から略長方形状に切起されており，短辺方向が一直線状になるように適宜間隔をおいて配設されている。更に切起部３６の少なくともどちらか一方の切起片（例えば切起片３８）の軸線は，前記挿通孔３２ａ，２０ａと夫々同一軸線になるように配設されている。
【００１９】
この切起部３６は例えばどちらか一方の切起片だけにしても良いが，この場合，前記切起片を切起した切起し跡にあいた孔が大きくなる。この切起部３６にはスプリング１６が挿着されるのであるが，スプリング１６が切起部３６に対して適宜な直径を有していないとスプリング１６が安定的に挿着されない（軸線に対して周方向にブレる）ため，最適な径のスプリング１６を装着する必要があり，この場合スプリング１６の径より切起し跡にあいた孔の方が大きくなってしまうことになり，スプリング１６が傾いて装着されることが考えられる。そこで本願においては，切起片を２つ形成して前記切起部３８の切起し跡にあいた孔３７ａと前記切起部３８の切起し跡にあいた孔３８ａとが相対向して１８０°の位置に形成されるように構成したことにより，スプリング１６がケースカバー３５に安定的に当接されることなり，スプリング１６が傾いて装着されることがないのである。
【００２０】
こうして切起部３６にスプリング１６を挿着させてからこのケースカバー３５に前記ケース本体３１を取り付けるのであるが，このとき挿通孔３２ａと挿通孔２０ａと一方の切起片３８の軸線は同一線上にあり，更に伝達部１２の下側に形成した折り返し部１７の先端部には，切起片３７，３７が配設された方向と同方向にスリット１７ａが形成されており，ケースカバー３５をケース本体３１に取り付けることで，前記切起部３６の切起片３７，３８は，スリット１７ａに遊貫されるのである。これによって折り返し部１７とケースカバー３５とはスプリング１６に夫々当接するように組み付けられるのである。
【００２１】
伝達部１２の折り返し部１７には折り返し片１７ｂが形成されており，当該折り返し片１７ｂの先端部と相対向する位置のプリント配線板２０にはスイッチ２２が配設させてある。
尚，切起片３７，３８の夫々の外側方向，即ちスプリング１６に近傍する側に突部を形成し，スプリング１６を切起部３６に挿通させたときに，前記突部がスプリング１６の落下を防止するように構成すれば，より軽量なケースカバー３５をケース本体３１に組み付けることができるので，伝達部１２をケース３０に組み付けるときの生産性をより優れたものとできる。
【００２２】
このように構成された蓋開閉検出機構１０について更に詳しく説明すると，既に述べたように，ステイタスモニターユニット４は蓋体３に取り付けられており，当該蓋体３を筐体２に被せた時に蓋開閉検出機構１０の押圧部１１が前記筐体２に収容された増幅器７に備えられた当付部（例えば本願の実施例では表示板８）に当接するように構成されている。つまりは，蓋体３が開いた状態のときは，前記伝達部１２の折り返し部１７とケースカバー３５との間に介在させたスプリング１６の付勢力によって，上方向に押し上げられることになり，この結果，折り返し片１７ｂの先端部がスイッチ２２の操作ノブを押し込むこととなり，このスイッチ２２に接続された電子回路（図示されていない）によって蓋体３の開状態が検出されるのである。次に，蓋体３が閉じた状態にあるときは，伝達部１２は下方向に押し込まれることとなり，この結果，押圧片１４ａはスイッチから離れることなり，このスイッチ２２に接続された電子回路（図示されていない）によって蓋体３の閉状態が検出されるのである。
【００２３】
このように，本願の実施例によれば，スイッチを操作するセンサーの役目をする伝達部１２はプレス成形で簡単に成形できる。蓋体が開いた状態のときにスプリング１６の付勢力でスイッチ２２を操作するので，本願の中継増幅器のように通常蓋体を閉じた状態でいることが多い電子機器であれば，スイッチ２２が常にストレスが付加された状態に無いため，スイッチの信頼性が一層保たれるのである。また，蓋体３を閉じた状態のときにスイッチがＯＦＦになればよいので，蓋開閉検出機構１０の押圧部１１の位置と筐体側にある当付部（本願によれば増幅器の表示板）との位置関係を精度良くする必要が無く，蓋体を締めた状態においてスプリング１６によって寸法精度が吸収されるといった優位性を持つ。更に，伝達部１２はケース本体３１の上面に形成した挿通孔３２ａとプリント配線板２０に形成した挿通孔３２ａとケースカバー３５に形成した切起部３６とで位置決めされ上下動自在に構成されているので，前記切起部３６が形成できる範囲内なら何処にでも蓋開閉検出機構を設置できるといった部品配置の自由性を有する電子機器を提供できるのである。
尚，本発明は上記実施の形態に限定されるものではなく，図７に示すように本発明の趣旨を逸脱しない範囲で各部の構成を適宜に変更して実施することも可能である。
【図面の簡単な説明】
【００２４】
【図１】本願の蓋開閉検出機構を備えた電子機器の例としてＣＡＴＶシステムに用いる中継増幅器を示し,蓋が開いた状態を示す正面図である。
【図２】本願の電子機器に備えた蓋開閉検出機能の第１の実施例であり，蓋が開いた状態にある時の図１におけるＡ−Ａ´線断面を示す斜視図である。
【図３】蓋が閉じた状態にある時の図１におけるＡ−Ａ´線断面を示す斜視図である。
【図４】本願の蓋開閉検出機構を備えた電子機器の例としてＣＡＴＶシステムに用いる中継増幅器の異なる例を示し,蓋が開いた状態を示す正面図である。
【図５】蓋開閉検出機構異なる実施例を示す正面図である。図５は図４における電子機器において，（ａ）は蓋が開いた状態にあるときの蓋開閉検出機構のＢ−Ｂ´線断面図を示し，（ｂ）は蓋が開いた状態にあるときの蓋開閉検出機構のＣ−Ｃ´線断面図を示す。（ｃ）は蓋が閉じた状態にあるときの蓋開閉検出機構のＢ−Ｂ´線断面図を示し，（ｄ）は蓋が閉じた状態にあるときの蓋開閉検出機構のＣ−Ｃ´線断面図を示す。
【図６】第２の蓋開閉検出機構の要部を示す拡大斜視図である。
【図７】蓋開閉検出機構の異なる実施例を示す。
【符号の説明】
【００２５】
１…電子機器（中継増幅器），２…筐体，３…蓋体，４…ステイタスモニターユニット，５…同軸ケーブル，６…ステイタス電圧用信号線，７…増幅器，８…表示板，１０…蓋開閉検出機構，１１…押圧部，１２…伝達部，１３…上側伝達部，１４…腕金部，１４ａ…押圧片，１５…下側伝達部，１６…スプリング，１７…折り返し部，１７ａ…スリット，１７ｂ…折り返し片，２０…プリント配線板，２０ａ…挿通孔，２１…凹部，２２…スイッチ，３０…ケース，３１…ケース本体，３２…上面，３２ａ…挿通孔，３３…側面，３４…側面の切起部，３４ａ…挿通孔，３５…ケースカバー，３５ａ…挿通孔，３６…切起部，３７…第１の切起片，３７ａ…孔，３８…第２の切起片，３８ａ…孔，３９…切起部
【図１】
0004515777.tif 000002
【図２】
0004515777.tif 000003
【図３】
0004515777.tif 000004
【図４】
0004515777.tif 000005
【図５】
0004515777.tif 000006
【図６】
0004515777.tif 000007
【図７】
0004515777.tif 000008